(57)【要約】【課題】小規模の舗装道路掘削工事をするとき、剥がした舗装を再利用するための、小型で運搬しやすい、アスコンリサイクル装置をつくる。【解決手段】鉄板にてアスコン加熱用の箱を作り、箱の下部に、別に作った燃焼室筒を取りつけて、工事で剥がしたアスコンを箱の中に入れて、ＬＰＧガスのトーチバーナーにて燃焼室筒の温度を上げて、アスコンを柔らかくして、再び舗装の復旧に使える物にする。【選択図】        図１
2005002754.tif 000002
【特許請求の範囲】
【請求項１】
鉄板で作った箱に脚を付けて、箱の下の方に丸い穴を開けて、燃焼室筒を差し込める構造の舗装道路小穴工事用に作る小型のアスコンリサイクル装置。
【請求項２】
箱の底面積が狭くなるように両側面を内側に曲げて作る請求項１のアスコンリサイクル装置。
【請求項３】
丸パイプで燃焼室筒を作る請求項１のアスコンリサイクル装置。
【請求項４】
燃焼室筒に穴を開けて作る請求項１のアスコンリサイクル装置。
【請求項５】
燃焼室筒の外周に突起棒を付けた請求項１のアスコンリサイクル装置。
【請求項６】
燃焼室筒の一方を塞いでそこにレバーハンドルを付けた請求項１のアスコンリサイクル装置。
【発明の詳細な説明】
【０００１】
【発明の属する技術分野】
本発明は、少ない面積の舗装道路の掘削工事をした時に剥がしたアスコンを再利用して復旧できるようにするための再生方法に関する。
【０００２】
【従来の技術】
舗装道路を掘削した場合に路面の舗装復旧するとき、常温合材を用意するか又は加熱されたアスコンを小型のダンプカーで引き取りにいって復旧しなければならなかった。
【０００３】
【発明が解決しようとする課題】
従来の小面積の舗装道路復旧工事にあっては路面を復旧するために加熱されたアスコンを買ってくる場合、機械で出す最低の容量が多いため、少量では分けてもらえず余分に買ってくるので、工事が終わったあとで、買って来た半分以上が余ってしまい、余ったアスコンの処分費用と、必要以上に多く買ったアスコンの代金が掛かります。剥がしたアスコンは加熱すれば再利用が可能なことから工事現場にて発生したアスコンをリサイクルして路面復旧に使用する事が出来るようにするための、アスコンを加熱する装置を作る。
【０００４】
【課題を解決するための手段】
上記目的を達成するために、本発明のアスコンリサイクル装置は、鉄板にて箱をつくり、円筒型の燃焼室筒を差し込み、一方を塞いでそこにレバーハンドルを取り付けたものである。
【０００５】
上記鉄板製の箱は、箱内の熱を逃がさなくするためと、アスコンを入れるための蓋を上面に取り付ける。
【０００６】
また、鉄板製の箱には、加熱されて崩れ落ちたアスコンを受けて溜めるための底板をつけて置く。
【０００７】
さらに、鉄板製の箱には、移動させるとき持ち上げて運ぶための丸棒を箱の周りに付ける。
【０００８】
そして、鉄板製の箱は正面の中心から下がったところに丸い穴を開ける。
【０００９】
上記のように構成された箱に入れるための燃焼室筒を別につくる。
【００１０】
そして、燃焼室筒にはトーチバーナーの焔と熱が箱内に回りやすくなるように複数の穴を開けて置き、さらに円筒の周りには短く切った鉄の棒の突起物を溶接にて取り付けておく。
【００１１】
また、燃焼室筒の片側はトーチバーナーを差し込むために、丸い鉄パイプを切ったままの形にして置き、もう一方に鉄の板を溶接にて蓋をして置く。
【００１２】
そして、鉄の板を溶接した蓋のところに、燃焼室筒を左右に回せるようにレバーハンドルを溶接にて取り付けておく。
【００１３】
【発明の実施の形態】
発明の実施の形態を実施例にもとづき図面を参照して説明する。
図１において、アスコンリサイクル装置の鉄板製の箱に燃焼室筒を差し込んでつくり、トーチガスバーナーにて燃焼室筒の内部に焔を吹き込み，箱内の温度を高くして、箱の底板のところに加熱されて柔らかくなったアスコンが落ちて溜まる構造につくる。
【００１４】
図２に示される実施例では、小穴を掘るために剥がした舗装用アスコンを適当な大きさに割って、箱に入れトーチガスバーナーで箱の内部を加熱してやわらかくした後、細かくくずれて底板に溜まったアスコンを、スコップですくい出し掘削箇所に戻してタンパーでたたいてつき固める。
【００１５】
図３に示される実施例では、燃焼室筒には複数の穴を開けて置くのと、周囲に短い突起棒を溶接にて取り付けて置いて、レバーハンドル回すことにより、アスコンを早くくずすことが出来る。
【００１６】
図４に示される実施例では、丸パイプ切り口のところをトーチガスバーナーにて焔を吹き込む吹込み口とし、切り口のもう一方は鉄の板を溶接にて蓋をして置く。
【００１７】
図５で示される実施例では、丸パイプの蓋のところに溶接にてレバーハンドルを取り付ける。
【００１８】
【発明の効果】
本発明は、以上説明したように構成されているので、以下に記載されるような効果を奏する。
【００１９】
道路の小穴掘削現場にて、小穴を掘るために剥がしたアスコンをその場にて加熱して再利用するので、過熱されたアスコン買いに行って来る運搬費用とアスコンの材料費が無くなる上に、アスコン処分のための運搬及び廃棄処理の費用が掛からなくなる。
【００２０】
常温合材を使って仮舗装する場合にも、常温合材を買いに行く運搬費用と材料代金が掛かる上に、剥がしたアスコンを処分費用まで掛かるが、剥がしたアスコンを再利用するため、それらの費用が掛からなくなる。
【００２１】
加熱したアスコンで舗装の復旧をする場合、少量では加熱アスコンを譲ってもらえず。買って来た加熱アスコンの大半が余ってしまうため、処分と運搬のための、余分な費用が掛かるが、それが掛からなくなる。
【００２２】
アスコンリサイクル装置は小型に作ってあるため、二人で軽く運べる上に作業が簡単なのと、アスコンを再利用するため労力を減らすことができる。
【００２３】
また、箱や燃焼室筒が熱効率の良い構造になっているので、舗装復旧工事の表層工にしかかる予測時間の、２０〜３０分位前よりトーチガスバーナーにて加熱し始めれば、表層工をする時にはアスコンが充分柔らかく解れた状態なる。
【００２４】
そして、アスコンリサイクル装置は、加熱されてこまかくくずれたアスコンが、底板に溜まってくる仕組みに出来ているので、スコップにて柔らかくなったアスコンを容易にすくい出すことができる。
【００２５】
さらに、レバーハンドルを、時おり回すことにより、燃焼室筒内に落ちて溜まったアスコンを下に落とすとともに、突起した棒で、アスコンを早く崩すことができる。
【図面の簡単な説明】
【図１】アスコンリサイクル装置の実施例を示す縦断面図である。
【図２】アスコンリサイクル装置の実施例を示す側面図である。
【図３】アスコンリサイクル装置の燃焼室筒の実施例を示す側面図である。
【図４】燃焼室筒の実施例を示す断面図である。
【図５】燃焼室筒及びレバーハンドルを示す図である。
【符号の説明】
１  外箱
２  蓋
３  燃焼室筒
４  運搬用丸棒
５  底板
６  レバーハンドル
７  燃焼室筒の穴
８  燃焼室筒の突起棒
【図１】
2005002754.tif 000003
【図２】
2005002754.tif 000004
【図３】
2005002754.tif 000005
【図４】
2005002754.tif 000006
【手続補正書】
【提出日】平成15年8月13日(2003.8.13)
【手続補正２】
【補正対象書類名】明細書
【補正対象項目名】図面の簡単な説明
【補正方法】変更
【補正の内容】
【図面の簡単な説明】
【図１】アスコンリサイクル装置の斜視図である。
【図２】アスコンリサイクル装置の正面図である。
【図３】アスコンリサイクル装置の側面図である。
【図４】燃焼室筒及びレバーハンドルを示す図である。
【符号の説明】
１  外箱
２  蓋
３  燃焼室筒
４  運搬用丸棒
５  底板
６  レバーハンドル
７  燃焼室筒の穴
８  燃焼室筒の突起棒